【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
電源と負荷との間に設けられて前記電源から前記負荷への電力供給制御を行う電力供給制御装置であって、
前記電源から前記負荷への通電路に配される半導体スイッチ素子と、
所定の異常状態に基づき異常信号を出力する異常検出回路と、
定電圧を生成する定電圧電源回路と、
前記定電圧電源回路によって生成された定電圧が供給されることで動作可能となり、前記異常信号に基づき前記半導体スイッチ素子に遮断動作をさせるための遮断信号を出力し、前記遮断信号の出力状態を保持する出力保持回路とを備え、
前記遮断信号の出力状態が保持された後、外部からの第１オフ指令信号を受けている状態が基準待機時間継続したことを条件に前記定電圧電源回路の通電を停止する電力供給制御装置。
【請求項２】
前記遮断信号の出力状態の保持後に外部からの第１オフ指令信号の入力状態が基準待機時間だけ継続したことを条件に第２オフ指令信号を出力するオフ指令出力回路と、
外部からのオン指令信号に基づき前記定電圧電源回路の通電を開始し、前記遮断信号の出力状態の保持後に前記第２オフ指令信号が出力されたことを条件に前記定電圧電源回路の通電を停止する通電制御回路とを備える請求項１に記載の電力供給制御装置。
【請求項３】
前記異常検出回路は、前記半導体スイッチ素子に流れる負荷電流を検出する電流検出素子と、
前記電流検出素子からの検出信号に基づき前記半導体スイッチ素子に流れる負荷電流が所定の閾値を超えている場合に前記異常信号として異常電流信号を出力する異常電流検出回路と、を備えて構成されている請求項１または請求項２に記載の電力供給制御装置。
【請求項４】
前記半導体スイッチ素子はパワーＦＥＴであると共に、前記電流検出素子は前記パワーＦＥＴに流れる負荷電流に対し所定関係のセンス電流が流れるセンスＦＥＴとされ、前記異常電流検出回路は、前記センス電流と前記所定の閾値とに基づいて前記異常電流信号の出力を行う構成である請求項３に記載の電力供給制御装置。
【請求項５】
前記異常検出回路は、前記半導体スイッチ素子の温度を検出する温度検出素子と、
前記温度検出素子からの検出信号に基づき前記半導体スイッチ素子の温度が所定の閾値を超えている場合に前記異常信号として異常温度信号を出力する異常温度検出回路と、を備えて構成されている請求項１から請求項４のいずれかに記載の電力供給制御装置。
【請求項６】
前記遮断信号の出力状態の保持前において、前記異常信号が出力されていない正常状態が基準正常時間だけ継続したことを条件にクリア信号を出力する正常時間積算回路を備え、
前記通電制御回路は、前記遮断信号の出力状態の保持前において、前記第１オフ指令信号が入力され、かつ、前記クリア信号が出力されたことを条件に前記定電圧電源回路の通電を停止する構成である請求項１から請求項５のいずれかに記載の電力供給制御装置。
【請求項７】
前記出力保持回路は、前記異常信号が出力されている異常時間を積算し、その積算時間が基準異常時間に達したことを条件に前記遮断信号を出力し、前記遮断信号の出力状態を保持する異常時間積算回路を備える構成とされている請求項１から請求項６のいずれかに記載の電力供給制御装置。
【請求項８】
前記異常時間積算回路は、前記遮断信号の出力状態の保持前において、前記正常時間積算回路から前記クリア信号が出力されたことを条件に前記異常時間の積算時間をクリアする請求項７に記載の電力供給制御装置。
【請求項９】
前記正常時間積算回路は、前記遮断信号の出力状態の保持後において、前記オン指令信号の入力状態で前記正常時間が初期値にリセットされ、前記第１オフ指令信号が入力されたときに前記正常時間積算回路の動作を開始し、当該正常時間積算回路の正常時間が前記基準正常時間に達したことを条件に前記クリア信号を前記第２オフ指令信号として出力する構成とされることで前記オフ指令出力回路として機能する請求項６から請求項８のいずれかに記載の電力供給制御装置。
【請求項１０】
前記オン指令信号と前記第１オフ指令信号とが交互に繰り返し入力され、前記オン指令信号を受けたときに前記半導体スイッチ素子に通電動作をさせ、前記第１オフ指令信号を受けたときに前記半導体スイッチ素子に遮断動作をさせるスイッチ制御回路とを備え、
前記基準正常時間は、前記各オフ指令信号の入力により前記半導体スイッチ素子が継続して遮断している遮断時間よりも長い時間である請求項６から請求項９のいずれかに記載の電力供給制御装置。
【手続補正２】
【補正対象書類名】明細書
【補正対象項目名】０００８
【補正方法】変更
【補正の内容】
【０００８】
上記の目的を達成するための手段として、請求項１の発明に係る電力供給制御装置は、電源と負荷との間に設けられて前記電源から前記負荷への電力供給制御を行う電力供給制御装置であって、前記電源から前記負荷への通電路に配される半導体スイッチ素子と、所定の異常状態に基づき異常信号を出力する異常検出回路と、定電圧を生成する定電圧電源回路と、前記定電圧電源回路によって生成された定電圧が供給されることで動作可能となり、前記異常信号に基づき前記半導体スイッチ素子に遮断動作をさせるための遮断信号を出力し、前記遮断信号の出力状態を保持する出力保持回路とを備え、前記遮断信号の出力状態が保持された後、外部からの第１オフ指令信号を受けている状態が基準待機時間継続したことを条件に前記定電圧電源回路の通電を停止する。
請求項２の発明は、請求項１に記載の電力供給制御装置において、前記遮断信号の出力状態の保持後に外部からの第１オフ指令信号の入力状態が基準待機時間だけ継続したことを条件に第２オフ指令信号を出力するオフ指令出力回路と、外部からのオン指令信号に基づき前記定電圧電源回路の通電を開始し、前記遮断信号の出力状態の保持後に前記第２オフ指令信号が出力されたことを条件に前記定電圧電源回路の通電を停止する通電制御回路とを備える。
【手続補正３】
【補正対象書類名】明細書
【補正対象項目名】０００９
【補正方法】変更
【補正の内容】
【０００９】
請求項３の発明は、請求項１または請求項２に記載の電力供給制御装置において、前記異常検出回路は、前記半導体スイッチ素子に流れる負荷電流を検出する電流検出素子と、前記電流検出素子からの検出信号に基づき前記半導体スイッチ素子に流れる負荷電流が所定の閾値を超えている場合に前記異常信号として異常電流信号を出力する異常電流検出回路と、を備えて構成されている。
【手続補正４】
【補正対象書類名】明細書
【補正対象項目名】００１０
【補正方法】変更
【補正の内容】
【００１０】
請求項４の発明は、請求項３に記載の電力供給制御装置において、前記半導体スイッチ素子はパワーＦＥＴであると共に、前記電流検出素子は前記パワーＦＥＴに流れる負荷電流に対し所定関係のセンス電流が流れるセンスＦＥＴとされ、前記異常電流検出回路は、前記センス電流と前記所定の閾値とに基づいて前記異常電流信号の出力を行う構成である。
【手続補正５】
【補正対象書類名】明細書
【補正対象項目名】００１１
【補正方法】変更
【補正の内容】
【００１１】
請求項５の発明は、請求項１から請求項４のいずれかに記載の電力供給制御装置において、前記異常検出回路は、前記半導体スイッチ素子の温度を検出する温度検出素子と、前記温度検出素子からの検出信号に基づき前記半導体スイッチ素子の温度が所定の閾値を超えている場合に前記異常信号として異常温度信号を出力する異常温度検出回路と、を備えて構成されている。
【手続補正６】
【補正対象書類名】明細書
【補正対象項目名】００１２
【補正方法】変更
【補正の内容】
【００１２】
請求項６の発明は、請求項１から請求項５のいずれかに記載の電力供給制御装置において、前記遮断信号の出力状態の保持前において、前記異常信号が出力されていない正常状態が基準正常時間だけ継続したことを条件にクリア信号を出力する正常時間積算回路を備え、前記通電制御回路は、前記出力状態の保持前において、前記第１オフ指令信号が入力され、かつ、前記クリア信号が出力されたことを条件に前記定電圧電源回路の通電を停止する構成である。
請求項７の発明は、請求項１から請求項６のいずれかに記載の電力供給制御装置において、前記出力保持回路は、前記異常信号が出力されている異常時間を積算し、その積算時間が基準異常時間に達したことを条件に前記遮断信号を出力し、その出力状態を保持する異常時間積算回路を備える構成とされている。
【手続補正７】
【補正対象書類名】明細書
【補正対象項目名】００１３
【補正方法】変更
【補正の内容】
【００１３】
請求項８の発明は、請求項７に記載の電力供給制御装置において、前記異常時間積算回路は、前記遮断信号の出力状態の保持前において、前記正常時間積算回路から前記クリア信号が出力されたことを条件に前記異常時間の積算時間をクリアする。
【手続補正８】
【補正対象書類名】明細書
【補正対象項目名】００１４
【補正方法】変更
【補正の内容】
【００１４】
請求項９の発明は、請求項６から請求項８のいずれかに記載の電力供給制御装置において、前記正常時間積算回路は、前記出力状態の保持後において、前記オン指令信号の入力状態で前記正常時間が初期値にリセットされ、前記第１オフ指令信号が入力されたときに前記正常時間積算回路の動作を開始し、当該正常時間積算回路の正常時間が前記基準正常時間に達したことを条件に前記クリア信号を前記第２オフ指令信号として出力する構成とされることで前記オフ指令出力回路として機能する。
【手続補正９】
【補正対象書類名】明細書
【補正対象項目名】００１５
【補正方法】変更
【補正の内容】
【００１５】
請求項１０の発明は、請求項６から請求項９のいずれかに記載の電力供給制御装置において、前記オン指令信号と前記第１オフ指令信号とが交互に繰り返し入力され、前記オン指令信号を受けたときに前記半導体スイッチ素子に通電動作をさせ、前記第１オフ指令信号を受けたときに前記半導体スイッチ素子に遮断動作をさせるスイッチ制御回路とを備え、前記基準正常時間は、前記各オフ指令信号の入力により前記半導体スイッチ素子が継続して遮断している遮断時間よりも長い時間である。
【手続補正１０】
【補正対象書類名】明細書
【補正対象項目名】００１６
【補正方法】変更
【補正の内容】
【００１６】
＜請求項１，２の発明＞
本構成によれば、遮断信号の出力状態が保持された後、外部からのオフ指令信号（例えば定電圧電源回路の通電停止を指示する信号）を受けている状態が基準待機時間継続したことを条件に定電圧電源回路の通電が停止される。従って、出力状態が保持された後にオフ指令信号を受けても、そのオフ入力状態が基準待機時間継続しない限り定電圧電源回路の通電が継続され、半導体スイッチ素子の遮断状態を保持し続けることができる。一方、オフ入力状態が基準待機時間継続したときには、定電圧電源回路の通電が停止されるための暗電流を防止できる。
【手続補正１１】
【補正対象書類名】明細書
【補正対象項目名】００１７
【補正方法】変更
【補正の内容】
【００１７】
＜請求項３の発明＞
本構成は、過電流異常に基づき異常信号を出力する構成である。
【手続補正１２】
【補正対象書類名】明細書
【補正対象項目名】００１８
【補正方法】変更
【補正の内容】
【００１８】
＜請求項４の発明＞
本構成は、電流検出素子として、パワーＦＥＴに流れる負荷電流に対し所定関係のセンス電流が流れるセンスＦＥＴを用いて、このセンス電流に基づき過電流異常を検出する構成であり、この構成に対しても本発明を適用し同様の効果を得ることができる。
【手続補正１３】
【補正対象書類名】明細書
【補正対象項目名】００１９
【補正方法】変更
【補正の内容】
【００１９】
＜請求項５の発明＞
本構成は、過温度異常に基づき異常信号を出力する構成である。
【手続補正１４】
【補正対象書類名】明細書
【補正対象項目名】００２０
【補正方法】変更
【補正の内容】
【００２０】
＜請求項６，７の発明＞
本構成によれば、異常時間積算回路の積算動作中にオフ指令信号を受けても、基準正常時間内にオン指令信号を受ければ定電圧電源回路の通電が維持されるため、異常時間積算回路の積算時間がリセットされることを防止できる。
【手続補正１５】
【補正対象書類名】明細書
【補正対象項目名】００２１
【補正方法】変更
【補正の内容】
【００２１】
＜請求項８の発明＞
本構成は、例えば通電路に流れる負荷電流（または温度）が所定の閾値を超えたときに異常時間の積算を開始し、その異常時間が異常基準時間に達したときに半導体スイッチ素子に遮断動作をさせる。一方、少なくとも異常信号が出力されていない正常状態が基準正常時間継続した場合には、それまで積算された異常時間積算回路の積算時間をクリア（現在の積算時間を初期値または現在の積算値よりも初期値に近い値に戻す）して半導体スイッチの遮断動作をさせない。従って、例えば連続的な異常電流は勿論、断続的な異常電流でその異常電流の発生間隔が正常基準時間より短いチャタリングショートも検出して外部回路（負荷、電線）の保護を図ることができる。本構成によれば、このような外部回路の保護機能（ヒューズ機能）で使用される正常時間積算回路からのクリア信号を利用して、定電圧電源回路の通電制御を行うことができる。
【手続補正１６】
【補正対象書類名】明細書
【補正対象項目名】００２２
【補正方法】変更
【補正の内容】
【００２２】
＜請求項９の発明＞
本構成によれば、正常時間積算回路をオフ指令出力回路として機能させることができる。
【手続補正１７】
【補正対象書類名】明細書
【補正対象項目名】００２３
【補正方法】変更
【補正の内容】
【００２３】
＜請求項１０の発明＞
本構成によれば、オン指令信号とオフ指令信号とが交互に繰り返されるオンオフ信号（たとえばＰＷＭ信号）を外部から入力して、これに基づき半導体スイッチ素子をオンオフ制御するものにおいて、オフ指令信号の入力時に半導体スイッチ素子の遮断保持状態が解除されることを防止できる。